(57)【要約】      （修正有）【課題】携帯電話の電話番号からメールアドレス（以下、ＭＡ）を取得するに当たって、該ＭＡを通知するか否かを、ＭＡの所有者が選択する。【解決手段】  第１携帯電話機から第１電話番号と第１ＭＡと第１ＭＡを通知することを許諾する第２電話番号を含むＭＡ通知許諾通知を受信し、第１ＭＡと第２電話番号を第１電話番号に対応させて第１記憶手段に記憶し（Ｓ１）、第２携帯電話機から第２電話番号と第２ＭＡとＭＡの取得を希望する第１電話番号を含むＭＡ取得要求を受信して第２記憶手段に記憶し（Ｓ１１）、第２記憶手段に記憶された第１電話番号を用いて第１記憶手段に第１電話番号が記憶されているかを検索し（Ｓ２）、第１電話番号に対応した第２電話番号が記憶されているか否かを判断し（Ｓ１６）、記憶されているときに第１の電話番号に対応した第１のＭＡを含むＭＡ通知を作成し（Ｓ１７）、第２のＭＡに通知する（Ｓ１９）ＭＡ通知プログラム。【選択図】      図３
2005318370.tif 000002
【特許請求の範囲】
【請求項１】
第１の電話番号と第１のメールアドレスを有する第１の携帯電話機と、第２の電話番号と第２のメールアドレスを有する第２の携帯電話機と、メールサーバからなるメールアドレス通知システムにおけるメールアドレス通知方法をメールサーバが実行するメールアドレス通知プログラムであって、
第１の携帯電話機から第１の電話番号と第１のメールアドレスと第１のメールアドレスを通知することを許諾する第２の電話番号を含むメールアドレス通知許諾通知を受信するステップと、
受信したメールアドレス通知許諾通知から第１の電話番号および第１のメールアドレスならびに第２の電話番号を取得するステップと、
取得した第１のメールアドレスおよび第２の電話番号を第１の電話番号に対応させて第１の記憶手段に記憶するステップと、
第２の携帯電話機から第２の電話番号と第２のメールアドレスとメールアドレスの取得を希望する第１の電話番号を含むメールアドレス取得要求を受信するステップと、
受信したメールアドレス取得要求から第２の電話番号と第２のメールアドレスと第１の電話番号を取得するステップと、
取得した第２の電話番号と第２のメールアドレスと第１の電話番号を第２の記憶手段に記憶するステップと、
第２の記憶手段に記憶された第１の電話番号を用いて第１の記憶手段に第１の電話番号が記憶されているかを検索するステップと、
第１の電話番号が記憶されているときに第１の電話番号に対応した第２の電話番号が記憶されているか否かを判断するステップと、
第１の記憶手段に第１の電話番号に対応して第２の電話番号が記憶されているときに第１の電話番号に対応した第１のメールアドレスを取得して、第１のメールアドレスを含むメールアドレス通知を作成するステップと、
メールアドレス通知を第２のメールアドレスに通知するステップと、
を有することを特徴とするメールアドレス通知プログラム。
【請求項２】
請求項１記載のメールアドレス通知プログラムであって、第１の電話番号が記憶されているときに第１の電話番号に対応した第２の電話番号が記憶されているか否かを判断するステップで第１の記憶手段に第１の電話番号に対応して第２の電話番号が記憶されていないと判断したときに、第１のメールアドレスを通知できない情報を含むメールアドレス不通知を作成するステップと、
メールアドレス不通知を第２のメールアドレスに通知するステップと、
を有することを特徴とするメールアドレス通知プログラム。
【請求項３】
請求項１または請求項２に記載されたメールアドレス通知プログラムを格納した記憶媒体。
【発明の詳細な説明】
【技術分野】
【０００１】
本発明は、インターネット接続機能付き携帯電話機のメールアドレスを、許諾された場合に限り、電話番号より取得することができるメールアドレス通知方法に用いるメールアドレス通知プログラムおよびこのプログラムを格納した記録媒体に関する。
【背景技術】
【０００２】
近年では、例えばＮＴＴドコモ社が提供しているｉモード（登録商標）携帯電話機に代表されるように、インターネットなどへのネットワークへ接続するためのサービスの提供を受けるインターネット接続機能付き携帯電話機（以下、携帯電話ともいう）が急速に普及している。携帯電話は、携帯電話事業者の管理センタを介して通話やインターネットに接続することができる。また、携帯電話事業者は、インターネット接続機能の他にも各携帯電話にメールアドレスを付与することでメール機能も提供している。
【０００３】
メール機能を使用して携帯電話相互でメールを送る場合、事前に相手のメールアドレスを聞いて、該メールアドレスを自分の携帯電話に登録しておかなければならない。しかしながら、携帯電話に付与されるメールアドレスは、携帯電話事業者より初期値として“＠”の前に電話番号が設定されていたが、最近では迷惑メール防止などのため、識別情報として意味を持たない英数字の羅列などが設定されるが、その桁数が長いため入力操作が面倒である。なお、自分の好みのメールアドレスに変更することもできるが、迷惑メール防止などの目的のため桁数を長くすることが一般的であり、入力操作はやはり面倒である。そこで、メールアドレスの入力操作を簡略化するため、携帯電話相互で赤外線通信により伝送する例などが提供されている（例えば、特許文献１参照）。
【０００４】
また、携帯電話相互ではなく、相手が情報提供者などの場合には、自分の携帯電話のメールアドレスを相手へ自動的に通知する方法（例えば、特許文献２参照）は、周知となっているが、この方法ではメールアドレスを教えたくない相手にも自動的に通知されてしまうことになり、迷惑メールなどへ波及する恐れがある。
【特許文献１】特開２０００−１１５０７９号公報
【特許文献２】特許第３３３５６１０号公報
【発明の開示】
【発明が解決しようとする課題】
【０００５】
解決しようとする問題点は、赤外線通信機能を持たない携帯電話や、メールを送りたい相手が近くに居ない場合でも、メールを送りたい相手のメールアドレスを相手の携帯電話の電話番号から取得できるようにすること、および、該メールアドレスを、該メールアドレスを取得したい相手に通知するか否かを、該メールアドレスの所有者の意志により選択できるようにすることである。
【課題を解決するための手段】
【０００６】
上記課題を解決するために、本発明は、第１の電話番号と第１のメールアドレスを有する第１の携帯電話機と、第２の電話番号と第２のメールアドレスを有する第２の携帯電話機と、メールサーバからなるメールアドレス通知システムにおけるメールアドレス通知方法を実行するメールアドレス通知プログラムであって、第１の携帯電話機から第１の電話番号と第１のメールアドレスと第１のメールアドレスを通知することを許諾する第２の電話番号を含むメールアドレス通知許諾通知を受信するステップと、受信したメールアドレス通知許諾通知から第１の電話番号および第１のメールアドレスならびに第２の電話番号を取得するステップと、取得した第１のメールアドレスおよび第２の電話番号を第１の電話番号に対応させて第１の記憶手段に記憶するステップと、第２の携帯電話機から第２の電話番号と第２のメールアドレスとメールアドレスの取得を希望する第１の電話番号を含むメールアドレス取得要求を受信するステップと、受信したメールアドレス取得要求から第２の電話番号と第２のメールアドレスと第１の電話番号を取得するステップと、
取得した第２の電話番号と第２のメールアドレスと第１の電話番号を第２の記憶手段に記憶するステップと、第２の記憶手段に記憶された第１の電話番号を用いて第１の記憶手段に第１の電話番号が記憶されているかを検索するステップと、第１の電話番号が記憶されているときに第１の電話番号に対応した第２の電話番号が記憶されているか否かを判断するステップと、第１の記憶手段に第１の電話番号に対応して第２の電話番号が記憶されているときに第１の電話番号に対応した第１のメールアドレスを取得して、第１のメールアドレスを含むメールアドレス通知を作成するステップと、メールアドレス通知を第２のメールアドレスに通知するステップと、を有する。
【０００７】
本発明は、上記メールアドレス通知プログラムであって、第１の電話番号が記憶されているときに第１の電話番号に対応した第２の電話番号が記憶されているか否かを判断するステップで第１の記憶手段に第１の電話番号に対応して第２の電話番号が記憶されていないと判断したときに、第１のメールアドレスを通知できない情報を含むメールアドレス不通知を作成するステップと、メールアドレス不通知を第２のメールアドレスに通知するステップと、を有する。
【０００８】
本発明は、記憶媒体に上記メールアドレス通知プログラムを格納した。
【発明の効果】
【０００９】
本発明によれば、赤外線通信機能を持たない携帯電話や、メールを送りたい相手が近くに居ない場合でも、第２の携帯電話機がメールを送りたい相手（第１の携帯電話機）のメールアドレスを相手（第１の携帯電話機）の携帯電話の電話番号から取得できるようになる。また、該メールアドレスを該メールアドレスを取得したい相手（第２の携帯電話機）に通知するか否かを、該メールアドレスの所有者（第１の携帯電話機）の意志により選択できるようになる。
【発明を実施するための最良の形態】
【００１０】
以下、本発明の実施形態について説明する。なお、以下の実施形態では、公衆携帯電話網を例にあげて説明する。しかし、本発明はこれに限定されない。例えば、事業所内の携帯電話網で用いることができる。
【００１１】
図１は、本発明に係る携帯電話機のメールアドレス通知システムの実施形態を示した全体構成図である。図２は、本発明に係るメールアドレス通知システムを構成する携帯電話機の機能ブロック図である。図３は、本発明に係るメールアドレス通知システムにおけるメールサーバ１０の処理フローチャートである。図４は、本発明に係るメールアドレス通知システムを構成する各機器間の概略シーケンス図である。まず、図１に示すメールアドレス通知システムは、携帯電話機のメールアドレスと電話番号を管理するメールサーバ１０と、携帯電話機３０−１〜３０−２と、メールサーバ１０を、携帯電話網２０を介して接続して構成される。
【００１２】
すなわち、本発明に係るメールアドレス通知システムは、第１の電話番号と第１のメールアドレスを有する第１の携帯電話機３０−１と、第２の電話番号と第２のメールアドレスを有する第２の携帯電話機３０−２と、携帯通信網２０を介して第１の携帯電話機３０−１および第２の携帯電話機３０−２と通信してメールアドレスを通知するメールサーバ１０とから構成される。メールサーバ１０に、第１の携帯電話機３０−１が第１のメールアドレスを通知することを許諾する第２の電話番号を第１の記憶手段１４に登録しておき、第２の携帯電話機３０−２から第１の電話番号のメールアドレス取得要求があると第１の記憶手段１４に第１の電話番号に対応して第２の電話番号が登録されているか否かを判断し、第１の電話番号に対応して第２の電話番号が登録されているときに第１のメールアドレスを第２のメールアドレスに通知する。
【００１３】
メールサービスセンターを構成するメールサーバ１０は、少なくとも第１のメール受信手段１１と、第２のメール受信手段１２と、メール送信手段１３と、第１の記憶手段１４と、第２の記憶手段１５と、一致判定手段１６と、メールアドレス通知作成手段１７と、メールアドレス不通知作成手段１８とを有して構成される。
【００１４】
本明細書では、第１の携帯電話機３０−１のメールアドレスを第１のメールアドレスといい、電話番号を第１の電話番号という。同様に、第２の携帯電話機３０−２のメールアドレスを第２のメールアドレスといい、電話番号を第２の電話番号という。
【００１５】
第１のメール受信手段１１は、第１のメールアドレスの所有者（第１の携帯電話機３０−１）より携帯電話網２０を経由して送出された、第１のメールアドレスを取得したい相手（第２の携帯電話）に第１のメールアドレスを通知するか否かを含む情報（メールアドレス通知許諾通知）を受信し、第１の記憶手段１４へ通知する処理を行う。
【００１６】
第２のメール受信手段１２は、第２の携帯電話機３０−２がメールを送りたい相手（第１の携帯電話）の第１のメールアドレスを相手（第１の携帯電話）の第１の電話番号から取得するように携帯電話網２０を経由して送出された情報（メールアドレス取得要求）を受信し、第２の記憶手段１５へ通知する処理を行う。
【００１７】
メール送信手段１３は、メールアドレス通知作成手段１７、およびメールアドレス不通知作成手段１８より通知された情報を、携帯電話網２０を経由して第２の携帯電話機３０−２へ送出する処理を行う。
【００１８】
第１の記憶手段１４は、第１のメール受信手段１１が携帯電話網２０を経由して受信した第１の携帯電話機３０−１より送出されたメールアドレス通知許諾通知から第１のメールアドレスを取得したい相手（第２の携帯電話）に第１のメールアドレスを通知するか否かを記憶する手段であり、第１の電話番号（例えば、０９０ＸＸＸＸＸＸＸＸ）およびこれに対応した第１のメールアドレス（例えば、ａｂｃｄｅ＠ｘｙｚ．ｃｏｍ）ならびに第１のメールアドレスを通知しても良い第２の電話番号（例えば、０９０ＹＹＹＹＹＹＹＹ）を記憶する手段である。なお、複数の第２の電話番号（例えば、第２の電話番号１：０９０ＹＹＹＹＹＹＹＹ〜第２の電話番号ｎ：０９０ＹＹＹＹＸＸＸＸ）を記憶することが可能な構成としている。
【００１９】
第２の記憶手段１５は、第２のメール受信手段１２が携帯電話網２０を経由して受信した第２の携帯電話機３０−２より送出されたメールアドレス取得要求から得た、第２の電話番号（例えば、０９０ＹＹＹＹＹＹＹＹ）、第２のメールアドレス（例えば、ｆｇｈｉｊ＠ｘｙｚ．ｃｏｍ）、メールを送りたい相手（第１の携帯電話）の第１の電話番号（例えば、０９０ＸＸＸＸＸＸＸＸ）を記憶する手段であり、これらのデータが記憶されると一致判定手段１６へ通知する機能を有する。
【００２０】
一致判定手段１６は、第２の記憶手段に第２の携帯電話機３０−２より送出されたメールアドレス取得要求から得たデータが記憶された場合に起動され、第２の記憶手段１５に記憶されている第１の電話番号を用いて、第１の電話番号が第１の記憶手段１４に記憶されているかを検索し、記憶されていた場合は、第１の電話番号に対応した第２の電話番号が第１の記憶手段１４に記憶されているかを検索し、記憶されていた場合は、第１の記憶手段に記憶されていた第２の電話番号が第２の記憶手段に記憶されている第２の電話番号と一致するかを判定する。第２の電話番号が一致した場合は、通知情報をメールアドレス通知作成手段１７に引き継ぐ。なお、第１の電話番号が第１の記憶手段１４に記憶されていなかった場合、および、第２の電話番号が一致しなかった場合は、不通知情報をメールアドレス不通知作成手段１８に引き継ぐ処理を行う。
【００２１】
メールアドレス通知作成手段１７は、一致判定手段１６より引き継いだ通知情報より、第１の記憶手段１４に記憶されている第１のメールアドレスを、第２の記憶手段１５に記憶されている第２のメールアドレスに送出できるように加工（例えば、テキストメール形式へ変換）してメールアドレス通知を作成し、メール送信手段１３に引き継ぐ処理を行う。
【００２２】
メールアドレス不通知作成手段１８は、一致判定手段１６より引き継いだ不通知情報より、不通知情報を第２の記憶手段１５に記憶されている第２のメールアドレスへ送出できるように加工しメールアドレス不通知（例えば、「指定された電話番号のメールアドレスは公開されておりません。」）を作成し、メール送信手段１３に引き継ぐ処理を行う。
【００２３】
すなわち、メールサーバ１０は、第１の携帯電話機３０−１から送出されたメールアドレス通知許諾通知を受信する第１のメール受信手段１１と、第１のメール受信手段１１が受信したメールアドレス通知許諾通知から得た第１のメールアドレスと第２の電話番号を第１の電話番号に対応させて記憶する第１の記憶手段１４と、第２の携帯電話機３０−２から送出されたメールアドレス取得要求を受信する第２のメール受信手段１２と、第２のメール受信手段１２が受信したメールアドレス取得要求から得た第２の電話番号および第２のメールアドレスならびに第１の電話番号を記憶する第２の記憶手段１５と、第２の記憶手段１５に記憶された第１の電話番号を用いて第１の記憶手段１４を検索し、第１の電話番号に対応して記憶されている第２の電話番号が第２の記憶手段１５に記憶されている第２の電話番号と一致するか否かを判定する一致判定手段１６と、一致判定手段が一致したと判定すると第２の記憶手段１５に記憶されている第２のメールアドレスへ第１の記憶手段１４に記憶されている第１のメールアドレスを通知するメールアドレス通知を作成するメールアドレス通知作成手段１７と、メールアドレス通知を第２のメールアドレスへ送信するメール送信手段１３とを備えている。
【００２４】
さらに、メールサーバ１０は、一致判定手段１６が不一致と判定すると第２の記憶手段１５に記憶されている第２のメールアドレスへ第１のメールアドレスは通知できないことを通知するメールアドレス不通知を作成するメールアドレス不通知作成手段１８を備え、メールアドレス不通知を第２のメールアドレスへ送信する。また、メールサーバ１０は、第１の記憶手段１４に記憶される第１の電話番号に対応した第２の電話番号を複数記憶することを可能とした。
【００２５】
携帯電話網２０は、図示していないが、携帯電話と無線通信を行う無線基地局、複数の無線基地局を制御する加入者交換機、加入者パケット交換機、およびメールサーバ１０とを接続するゲートウェイ等により構成されているが、公知であるため説明は省略している。
【００２６】
第１の携帯電話機３０−１は、携帯電話網２０を経由してメールサーバ１０の第１のメール受信手段１１へ、自携帯電話の電話番号（第１の電話番号）、メールアドレス（第１のメールアドレス）、および、第１のメールアドレスを通知することを許諾する第２の電話番号を含むメールアドレス通知許諾通知を送出する機能を有している。
【００２７】
第２の携帯電話機３０−２は、携帯電話網２０を経由してメールサーバ１０の第２のメール受信手段１２へ自携帯電話の電話番号（第２の電話番号）、メールアドレス（第２のメールアドレス）、および、第１のメールアドレスを取得したい第１の電話番号を含むメールアドレス取得要求を送出する機能を有している。
【００２８】
次に、図２（Ａ）を用いて、第１の携帯電話の機能構成を説明する。図２（Ａ）に示す第１の携帯電話機３０−１は、少なくとも、無線部Ｆ４０と、通話部Ｆ４１と、表示部Ｆ４２と、操作部Ｆ４３と、メールアドレス通知許諾操作検出手段Ｆ４４と、メールアドレス通知許諾記憶手段Ｆ４５と、自己電話番号情報Ｆ４６と、自己メールアドレス情報Ｆ４７と、メールアドレス通知許諾通知作成手段Ｆ４８を有して構成される。
【００２９】
無線部Ｆ４０は、携帯電話網２０と無線通信を行う機能（無線送受信機能、変復調機能、ＴＤＭＡ制御機能、他）を有しており、メールアドレス通知許諾通知をメールサーバ１０の第１のメール受信手段１１へ送出する。
【００３０】
通話部Ｆ４１は、コーデック機能、送話機能、受話機能を有している。
【００３１】
表示部Ｆ４２は、ＬＣＤ表示器により構成され、通話相手の電話番号、通話時間、電話帳登録内容、他の表示を行う機能を有している。
【００３２】
操作部Ｆ４３は、ダイヤルキー、各種機能キー、および、自携帯電話のメールアドレスを通知することを許諾する操作手段（例えば、メールアドレス通知キー）を備えている。
【００３３】
メールアドレス通知許諾操作検出手段Ｆ４４は、携帯電話相互での電話中に操作部Ｆ４３を監視し、相手の携帯電話機３０−２へ自携帯電話の第１のメールアドレスを通知することを許諾する操作（例えば、電話中にメールアドレス通知キーを押下する）を検出し、メールアドレス通知許諾情報をメールアドレス通知許諾記憶手段Ｆ４５へ通知する機能を有している。
【００３４】
メールアドレス通知許諾記憶手段Ｆ４５は、メールアドレス通知許諾操作検出手段Ｆ４４からメールアドレス通知許諾情報を検出すると、メールアドレス通知許諾情報を記憶すると共に、通話中の相手電話番号（第２の電話番号）を記憶する機能を有している。
【００３５】
自己電話番号情報Ｆ４６は、予め登録されている自己携帯電話の電話番号（第１の電話番号）である。
【００３６】
自己メールアドレス情報Ｆ４７は、予め登録されている自己携帯電話機のメールアドレス（第１のメールアドレス）である。
【００３７】
メールアドレス通知許諾通知作成手段Ｆ４８は、通話部Ｆ４１より電話の終話を通知されると、メールアドレス通知許諾記憶手段Ｆ４５にメールアドレス通知許諾情報が記憶されている場合、携帯電話網２０を経由してメールサーバ１０の第１のメール受信手段１１へ、予め登録されている自己電話番号情報Ｆ４６（第１の電話番号）、自己メールアドレス情報Ｆ４７（第１のメールアドレス）、および、メールアドレス通知許諾記憶手段Ｆ４５へ記憶されている電話中であった相手の電話番号（第２の電話番号）とを含むメールアドレス通知許諾通知を無線部Ｆ４０経由で送出する機能を有している。
【００３８】
第１の携帯電話機３０−１は、第２の電話機３０−２と通話中にメールアドレス通知許諾操作がなされたことを検出しメールアドレス通知許諾情報を作成するメールアドレス通知許諾検出手段Ｆ４４と、メールアドレス通知許諾情報を受けると電話中の第２の電話番号をメールアドレス通知許諾情報とともに記憶するメールアドレス通知許諾記憶手段Ｆ４５と、第２の携帯電話機３０−２との電話が終了するとメールアドレス許諾記憶手段Ｆ４５にメールアドレス通知許諾情報があることを検出して第１の電話番号と第１のメールアドレスと第１のメールアドレスを通知することを許諾する第２の電話番号を含むメールアドレス通知許諾通知を作成するメールアドレス通知許諾通知作成手段Ｆ４８と、メールアドレス通知許諾通知をメールサーバ１０の第１のメール受信手段１１へ送信する無線部Ｆ４０とを備えている。
【００３９】
図２（Ｂ）を用いて、第２の携帯電話の機能構成を説明する。図２（Ｂ）に示す第２の携帯電話機３０−２は、少なくとも、無線部Ｆ４０と、通話部Ｆ４１と、表示部Ｆ４２と、操作部Ｆ４３と、自己電話番号情報Ｆ４６と、自己メールアドレス情報Ｆ４７と、電話帳部Ｆ４９と、メールアドレス取得操作検出手段Ｆ５０と、メールアドレス取得要求作成手段Ｆ５１を有して構成される。
【００４０】
無線部Ｆ４０と、通話部Ｆ４１と、表示部Ｆ４２と、操作部Ｆ４３と、自己電話番号情報Ｆ４６と、自己メールアドレス情報Ｆ４７とは、前述した第１の携帯電話機３０−１と同一である。なお、操作部Ｆ４３にはメールアドレス取得操作（例えば、メールアドレス取得キーを押下する）の機能も有している。
【００４１】
電話帳部Ｆ４９は、予め、名前、電話番号、メールアドレス等を登録しておく機能を有している。
【００４２】
メールアドレス取得操作検出手段Ｆ５０は、電話帳部Ｆ４９を使用し、メールアドレスを取得したい相手の電話番号を表示中に操作部Ｆ４３を監視し、メールアドレス取得操作（例えば、メールアドレス取得キーを押下する）がなされたことを検出する機能を有している。
【００４３】
メールアドレス取得要求作成手段Ｆ５１は、メールアドレス取得操作検出手段Ｆ５０がメールアドレス取得操作を検出すると、携帯電話網２０を経由してメールサーバ１０の第２のメール受信手段１２へ、自己電話番号情報Ｆ４６（第２の電話番号）、自己メールアドレス情報Ｆ４７（第２のメールアドレス）、および、電話帳部Ｆ４９より表示部Ｆ４２へ表示しているメールアドレスを取得したい相手の電話番号（第１の電話番号）とを含むメールアドレス取得要求を作成し、無線部Ｆ４０経由で送出する機能を有している。
【００４４】
すなわち、第２の携帯電話機３０−２は、第１のメールアドレスの取得を希望する相手の電話番号である第１の電話番号を表示中に、メールアドレス取得操作が行われたことを検出しメールアドレス取得要求情報を作成するメールアドレス取得操作検出手段Ｆ５０と、
メールアドレス取得要求情報に基づいて、第２の電話番号と第２のメールアドレスと第１の電話番号を含むメールアドレス取得要求を作成するメールアドレス取得要求作成手段Ｆ５１と、メールアドレス取得要求をメールサーバの第２のメール受信手段へ送信する無線部Ｆ４０とを備えている。
【００４５】
次に、図３を用いてメールサーバ１０の処理を説明する。図３において、左側の（１）は、第１のメール受信手段１１が第１の携帯電話機３０−１よりメールを受信したところから開始している。また、図３の右側の（２）は、第２のメール受信手段１２が第２の携帯電話機３０−２よりメールを受信したところから開始している。
【００４６】
まず、図３の左側の（１）の処理を説明する。第１のメール受信手段１１がメール（メールアドレス通知許諾通知を受信する（Ｓ１）と、受信したメールの内容を分析し、第１の電話番号が含まれているか否かを判定する（Ｓ２）。第１の電話番号が含まれている場合は、第２の電話番号が含まれているか否かを判定する（Ｓ３）。
【００４７】
第２の電話番号が含まれている場合は、第１の記憶手段１４を参照し、第１の電話番号が登録されているか否かを判定する（Ｓ４）。第１の電話番号が第１の記憶手段１４に登録されていない場合（ステップＳ４がＮｏの場合）、第１の記憶手段１４に第１の電話番号に対応した領域を新規に作成して（Ｓ５）、第１の電話番号および第１のメールアドレスを記憶する。
【００４８】
引き続き（ステップＳ４でＹｅｓの場合も同様）、第１の記憶手段１４の第１の電話番号に対応した領域を参照し、第２の電話番号が記憶されているか否かを判定する（Ｓ６）。第２の電話番号が記憶されていない場合は、第１の記憶手段１４の第１の電話番号に対応した領域に第２の電話番号を記憶する（Ｓ７）。
【００４９】
次に、図３の右側の（２）の処理を説明する。第２のメール受信手段１２がメール（メールアドレス取得要求）を受信する（Ｓ１１）と、受信したメールの内容を分析し、第２の電話番号が含まれているか否かを判定する（Ｓ１２）。第２の電話番号が含まれている場合は、第１の電話番号が含まれているか否かを判定する（Ｓ１３）。
【００５０】
第１の電話番号が含まれている場合は、受信した内容を第２の記憶手段１５に記憶する（Ｓ１４）。次に、第１の記憶手段１４を参照し、第１の電話番号に対応した記憶があるか否かを判定する（Ｓ１５）。記憶があった場合は、第１の電話番号に対応して第２の電話番号が記憶されているか否かを判定する（Ｓ１６）。
【００５１】
第２の電話番号が記憶されている場合（ステップＳ１６がＹｅｓの場合）は、メールアドレス通知作成手段１７により、第２のメールアドレスへ第１のメールアドレスを通知できるように編集し（Ｓ１７）、メール送信（メールアドレス通知）を行う（Ｓ１９）。
【００５２】
ステップＳ１２がＮｏの場合、ステップＳ１３がＮｏの場合、ステップＳ１５がＮｏの場合、およびステップＳ１６がＮｏの場合は、メールアドレス不通知作成手段１８により、第２のメールアドレスへ第１のメールアドレスは通知できないことを編集し（Ｓ１８）、メール送信（メールアドレス不通知）を行う（Ｓ１９）。
【００５３】
すなわち、メールサーバ１０は、第１の携帯電話機３０−１が第１のメールアドレスを通知することを許諾する第２の電話番号を第１の記憶手段１４に登録しておき、第２の携帯電話機３０−２から第１の電話番号のメールアドレス取得要求があると第１の記憶手段１４に第１の電話番号に対応して第２の電話番号が登録されているか否かを判断し、第１の電話番号に対応して第２の電話番号が登録されているときに第１のメールアドレスを第２のメールアドレスに通知する。
【００５４】
図４を用いて、本発明による上述した処理の概略シーケンスを説明する。第１の携帯電話機３０−１と、第２の携帯電話機３０−２が携帯電話網２０で通話中（Ｓ２１）に、第１の携帯電話機３０−１は、メールアドレス通知許諾操作検出手段Ｆ４４がメールアドレス通知許諾操作を監視し（Ｓ２２）、メールアドレス通知許諾操作を検出すると（Ｓ２２．有り）、メールアドレス通知許諾記憶手段Ｆ４５は、通話中の第２の携帯電話機３０−２へのメールアドレス通知許諾を記憶する（Ｓ２３）。その後、通話の終了を監視し（Ｓ２４）、通話が終了すると、メールアドレス通知許諾通知作成手段Ｆ４８により、メールサーバ１０の第１のメール受信手段１１へメールアドレス通知許諾通知を送信する（Ｓ２５）。
【００５５】
メールサーバ１０では、第１の携帯電話機３０−１より、メールアドレス通知許諾通知を受信すると、第１の電話番号および第１のメールアドレスならびに第２の電話番号を第１の記憶手段１４へ記憶する（Ｓ２６）。記憶するまでの処理内容は、前述した図３の左側（１）の説明による。
【００５６】
次に、第２の携帯電話機３０−２が、第１のメールアドレスを取得するシーケンスを説明する。第２の携帯電話機３０−２で第１の電話番号を表示中（Ｓ２７）に、メールアドレス取得操作検出手段Ｆ５０がメールアドレス取得操作がなされることを監視し、メールアドレス取得操作がなされたことを検出すると（Ｓ２８）、メールアドレス取得要求作成手段Ｆ５１により、メールアドレス取得要求を作成し、メールサーバ１０の第２のメール受信手段１２へメールアドレス取得要求を送信する（Ｓ２９）。
【００５７】
メールサーバ１０では、第２のメール受信手段が、第２の携帯電話機３０−２からメールアドレス取得要求を受信すると、第２の記憶手段１５へ当該メールアドレス取得要求を記憶する（Ｓ３０）。引き続き、当該メールアドレス取得要求に含まれている第１の電話番号を用いて第１の記憶手段１４を参照し、第１の電話番号に対応して記憶されている第２の電話番号と、第２の記憶手段１５に記憶されている第２の電話番号が一致するかを判定し（Ｓ３１）、一致しなかった場合は、第２の携帯電話機３０−２へメールアドレス不通知を送信する（Ｓ３２）。一致した場合は、第２の携帯電話機３０−２へ第１のメールアドレスを通知する（Ｓ３３）。
【００５８】
メールアドレス不通知を受け取った第２の電話機３０−２は、メールアドレス取得処理を終了する。メールアドレス通知を受け取った第２の電話機３０−２は、受信した第１のメールアドレスを電話帳部Ｆ４９へ格納した（Ｓ３４）後、メールアドレス取得処理を終了する。
【００５９】
すなわち、図１に示すように、本発明のメールサーバ１０は、第１の携帯電話機３０−１から受信した第１の電話番号と第１のメールアドレスと第１のメールアドレスを通知することを許諾する第２の電話番号を含むメールアドレス通知許諾通知から取得した第１のメールアドレスおよび第２の電話番号を第１の電話番号に対応させて第１の記憶手段１４に記憶し、第２の携帯電話機３０−２から受信した第２の電話番号と第２のメールアドレスとメールアドレスの取得を希望する第１の電話番号を含むメールアドレス取得要求から取得した第２の電話番号と第２のメールアドレスと第１の電話番号を第２の記憶手段１５に記憶し、第２の記憶手段１５に記憶された第１の電話番号を用いて第１の記憶手段１４を検索して第１の電話番号に対応した第２の電話番号が記憶されているか否かを判断し、第１の記憶手段１４に第１の電話番号に対応して第２の電話番号が記憶されているときに第１の電話番号に対応した第１のメールアドレスを取得して、第１のメールアドレスを含むメールアドレス通知を作成し、第２の携帯電話機に通知する。また、メールサーバ１０は、第１の記憶手段１４に第１の電話番号に対応して第２の電話番号が記憶されていないときに第１のメールアドレスを通知できない情報を含むメールアドレス不通知を作成し、第２の携帯電話機３０−２に通知する。
【００６０】
本発明のメールアドレス通知方法は、第１の電話番号と第１のメールアドレスを有する第１の携帯電話機３０−１と、第２の電話番号と第２のメールアドレスを有する第２の携帯電話機３０−２と、メールサーバ１０からなるメールアドレス通知システムにおけるメールアドレス通知方法であって、メールサーバ１０は、第１の携帯電話機３０−１から受信した第１の電話番号と第１のメールアドレスと第１のメールアドレスを通知することを許諾する第２の電話番号を含むメールアドレス通知許諾通知から取得した第１のメールアドレスおよび第２の電話番号を第１の電話番号に対応させて第１の記憶手段１４に記憶し、第２の携帯電話機３０−２から受信した第２の電話番号と第２のメールアドレスとメールアドレスの取得を希望する第１の電話番号を含むメールアドレス取得要求から取得した第２の電話番号と第２のメールアドレスと第１の電話番号を第２の記憶手段１５に記憶し、第２の記憶手段１５に記憶された第１の電話番号を用いて、第１の記憶手段１４を検索して第１の電話番号に対応した第２の電話番号が記憶されているか否かを判断し、第１の記憶手段１４に第１の電話番号に対応して第２の電話番号が記憶されているときに第１の電話番号に対応した第１のメールアドレスを取得して、第１のメールアドレスを含むメールアドレス通知を作成し、第２のメールアドレスに通知する。さらに、第１の記憶手段１４に第１の電話番号に対応して第２の電話番号が記憶されていないときに第１のメールアドレスを通知できない情報を含むメールアドレス不通知を作成し、第２のメールアドレスに通知する。
【００６１】
本発明のメールアドレス通知プログラムは、第１の電話番号と第１のメールアドレスを有する第１の携帯電話機３０−１と、第２の電話番号と第２のメールアドレスを有する第２の携帯電話機３０−２と、メールサーバ１０からなるメールアドレス通知システムにおけるメールアドレス通知方法をメールサーバが実行するメールアドレス通知プログラムであって、第１の携帯電話機３０−１から第１の電話番号と第１のメールアドレスと第１のメールアドレスを通知することを許諾する第２の電話番号を含むメールアドレス通知許諾通知を受信するステップと、受信したメールアドレス通知許諾通知から第１の電話番号および第１のメールアドレスならびに第２の電話番号を取得するステップと、取得した第１のメールアドレスおよび第２の電話番号を第１の電話番号に対応させて第１の記憶手段１４に記憶するステップと、第２の携帯電話機３０−２から第２の電話番号と第２のメールアドレスとメールアドレスの取得を希望する第１の電話番号を含むメールアドレス取得要求を受信するステップと、受信したメールアドレス取得要求から第２の電話番号と第２のメールアドレスと第１の電話番号を取得するステップと、取得した第２の電話番号と第２のメールアドレスと第１の電話番号を第２の記憶手段１５に記憶するステップと、第２の記憶手段１５に記憶された第１の電話番号を用いて第１の記憶手段１４に第１の電話番号が記憶されているかを検索するステップと、第１の電話番号が記憶されているときに第１の電話番号に対応した第２の電話番号が記憶されているか否かを判断するステップと、第１の記憶手段１４に第１の電話番号に対応して第２の電話番号が記憶されているときに第１の電話番号に対応した第１のメールアドレスを取得して、第１のメールアドレスを含むメールアドレス通知を作成するステップと、メールアドレス通知を第２のメールアドレスに通知するステップと、を有する。
【００６２】
本発明は、上記メールアドレス通知プログラムであって、第１の電話番号が記憶されているときに第１の電話番号に対応した第２の電話番号が記憶されているか否かを判断するステップで第１の記憶手段に第１の電話番号に対応して第２の電話番号が記憶されていないと判断したときに、第１のメールアドレスを通知できない情報を含むメールアドレス不通知を作成するステップと、メールアドレス不通知を第２のメールアドレスに通知するステップと、を有する。
【００６３】
本発明は、上記メールアドレス通知プログラムを各種の記憶媒体に格納した。
【図面の簡単な説明】
【００６４】
【図１】本発明に係る携帯電話のメールアドレス通知方法の実施形態を示した全体構成図。
【図２】本発明に係る携帯電話の機能ブロック図。
【図３】本発明に係るメールサーバの処理フローチャート。
【図４】本発明に係る各機器間の概略シーケンス図。
【符号の説明】
【００６５】
１０  メールサーバ（メールサービスセンター）
１１  第１のメール受信手段
１２  第２のメール受信手段
１３  メール送信手段
１４  第１の記憶手段
１５  第２の記憶手段
１６  一致判定手段
１７  メールアドレス通知作成手段
１８  メールアドレス不通知作成手段
２０  携帯電話網
３０−１  第１の携帯電話機
３０−２  第２の携帯電話機
Ｆ４０  無線部
Ｆ４１  通話部
Ｆ４２  表示部
Ｆ４３  操作部
Ｆ４４  メールアドレス通知許諾操作検出手段
Ｆ４５  メールアドレス通知許諾記憶手段
Ｆ４６  自己電話番号情報
Ｆ４７  自己メールアドレス情報
Ｆ４８  メールアドレス通知許諾通知作成手段
Ｆ４９  電話帳部
Ｆ５０  メールアドレス取得操作検出手段
Ｆ５１  メールアドレス取得要求作成手段
【図１】
2005318370.tif 000003
【図２】
2005318370.tif 000004
【図３】
2005318370.tif 000005
【図４】
2005318370.tif 000006